(57)【特許請求の範囲】
【請求項１】
現金を収納するための個別に交換される複数のカセットを有する現金自動取引装置であって、
ユーザによる現金の取引操作に応じて、現金が収納されている前記複数のカセットからの現金の取り出し、及び、入金された現金の前記複数のカセットへの収納を行う現金出し入れ手段と、
前記現金出し入れ手段が前記複数のカセットに含まれる所定の複数の対象カセットから現金を取り出すときに、該複数の対象カセットのカセット毎の現金の収納量を所定の第１閾値より少なくする現金の取り出しを抑止するように、前記現金出し入れ手段による該複数の対象カセットからの現金の取り出しを抑止する取出抑止手段と、
前記現金出し入れ手段が前記複数の対象カセットに現金を収納するときに、該複数の対象カセットのカセット毎の現金の収納量を前記第１閾値より大きい所定の第２閾値より多くする現金の収納を抑止するように、前記現金出し入れ手段による該複数の対象カセットへの現金の収納を抑止する収納抑止手段と、
前記取出抑止手段により現金の取り出しを抑止されている全カセットのカセット毎の現金の収納量が、前記第１閾値に達したか否かを判別する抑止カセット第１閾値判別手段と、
前記収納抑止手段により現金の収納を抑止されている全カセットのカセット毎の現金の収納量が、前記第２閾値に達したか否かを判別する抑止カセット第２閾値判別手段と、
前記抑止カセット第１閾値判別手段により全カセットのカセット毎の現金の収納量が前記第１閾値に達したと判別されたときに、前記取出抑止手段により現金の取り出しを抑止されているカセットのうちの１のカセットからの現金の取り出しの抑止を解除し、該抑止を解除されたカセットからの、収納量を前記第１閾値より少なくする現金の取り出しを許可する取出抑止解除手段と、
前記抑止カセット第２閾値判別手段により全カセットのカセット毎の現金の収納量が前記第２閾値に達したと判別されたときに、前記収納抑止手段により現金の収納を抑止されているカセットのうちの１のカセットへの現金の収納の抑止を解除し、該抑止を解除されたカセットへの、収納量を前記第２閾値より多くする現金の収納を許可する収納抑止解除手段と、
を備えることを特徴とする現金自動取引装置。
【請求項２】
前記複数の対象カセットは、同一の金種の現金が収納されるカセットである、
ことを特徴とする請求項１に記載の現金自動取引装置。
【請求項３】
前記第１閾値は、出金より入金が多い傾向にある現金自動取引装置に取り付けられるカセットの現金の収納量の初期値として設定される値である、
ことを特徴とする請求項１又は２に記載の現金自動取引装置。
【請求項４】
前記第２閾値は、入金より出金が多い傾向にある現金自動取引装置に取り付けられるカセットの現金の収納量の初期値として設定される値である、
ことを特徴とする請求項１乃至３の何れか１項に記載の現金自動取引装置。
【請求項５】
前記取出抑止解除手段により抑止を解除されたカセットが空とされたか否かを判別する解除カセット空判別手段を更に備え、
前記取出抑止解除手段は、前記解除カセット空判別手段によりカセットが空と判別されたときに、未だ前記取出抑止手段により現金の取り出しを抑止されているカセットのうちの１のカセットからの現金の取り出しの抑止を解除し、該抑止を解除されたカセットからの、収納量を前記第１閾値より少なくする現金の取り出しを許可する、
ことを特徴とする請求項１乃至４の何れか１項に記載の現金自動取引装置。
【請求項６】
前記複数の対象カセットの数は、少なくとも３であり、
前記現金出し入れ手段は、前記複数の対象カセットから現金を取り出すときに、現金が収納されているカセットのうち現金の収納量の最も少ないカセットから現金を取り出し、
前記取出抑止手段は、現金が収納されているカセットが残り２つとされたときに、該２つのカセットのカセット毎の現金の収納量を前記第１閾値より少なくする現金の取り出しを抑止し、
前記抑止カセット第１閾値判別手段は、前記取出抑止手段により現金の取り出しを抑止されている２つのカセット共にカセット毎の現金の収納量が、前記第１閾値に達したか否かを判別し、
前記取出抑止解除手段は、前記抑止カセット第１閾値判別手段により２つのカセット共にカセット毎の現金の収納量が、前記第１閾値に達したと判別されたときに、該２つのカセットの１のカセットからの現金の取り出しの抑止を解除する、
ことを特徴とする請求項１乃至５の何れか１項に記載の現金自動取引装置。
【請求項７】
前記収納抑止解除手段により抑止を解除されたカセットの現金の収納量が満杯とされたか否かを判別する解除カセット満杯判別手段を更に備え、
前記収納抑止解除手段は、前記解除カセット満杯判別手段によりカセットの現金の収納量が満杯と判別されたときに、未だ前記収納抑止手段により現金の収納を抑止されているカセットのうちの１のカセットへの現金の収納の抑止を解除し、該抑止を解除されたカセットへの、収納量を前記第２閾値より多くする現金の収納を許可する、
ことを特徴とする請求項１乃至６の何れか１項に記載の現金自動取引装置。
【請求項８】
現金を収納するための個別に交換される複数のカセットを有する現金自動取引装置が実行する現金自動取引方法であって、
ユーザによる現金の取引操作を受け付け、該受け付けた取引操作に応じて、現金が収納されている前記複数のカセットからの現金の取り出し、及び、入金された現金の前記複数のカセットへの収納を行う現金出し入れステップと、
前記現金出し入れステップにより前記複数のカセットに含まれる所定の複数の対象カセットから現金が取り出されるときに、該複数の対象カセットのカセット毎の現金の収納量を所定の第１閾値より少なくする現金の取り出しを抑止するように、前記現金出し入れステップによる該複数の対象カセットからの現金の取り出しを抑止する取出抑止ステップと、
前記現金出し入れステップにより前記複数の対象カセットに現金が収納されるときに、該複数の対象カセットのカセット毎の現金の収納量を前記第１閾値より大きい所定の第２閾値より多くする現金の収納を抑止するように、前記現金出し入れステップによる該複数の対象カセットへの現金の収納を抑止する収納抑止ステップと、
前記取出抑止ステップにより現金の取り出しを抑止されている全カセットのカセット毎の現金の収納量が、前記第１閾値に達したか否かを判別する抑止カセット第１閾値判別ステップと、
前記収納抑止ステップにより現金の収納を抑止されている全カセットのカセット毎の現金の収納量が、前記第２閾値に達したか否かを判別する抑止カセット第２閾値判別ステップと、
前記抑止カセット第１閾値判別ステップにより全カセットのカセット毎の現金の収納量が前記第１閾値に達したと判別されたときに、前記取出抑止ステップにより現金の取り出しを抑止されているカセットのうちの１のカセットからの現金の取り出しの抑止を解除し、該抑止を解除されたカセットからの、収納量を前記第１閾値より少なくする現金の取り出しを許可する取出抑止解除ステップと、
前記抑止カセット第２閾値判別ステップにより全カセットのカセット毎の現金の収納量が前記第２閾値に達したと判別されたときに、前記収納抑止ステップにより現金の収納を抑止されているカセットのうちの１のカセットへの現金の収納の抑止を解除し、該抑止を解除されたカセットへの、収納量を前記第２閾値より多くする現金の収納を許可する収納抑止解除ステップと、
を含むことを特徴とする現金自動取引方法。
【請求項９】
現金を収納するための個別に交換される複数のカセットを有する現金自動取引装置を制御するコンピュータに、
ユーザによる現金の取引操作に応じて、現金が収納されている前記複数のカセットからの現金の取り出し、及び、入金された現金の前記複数のカセットへの収納を行う現金出し入れ機能と、
前記現金出し入れ機能により前記複数のカセットに含まれる所定の複数の対象カセットから現金が取り出されるときに、該複数の対象カセットのカセット毎の現金の収納量を所定の第１閾値より少なくする現金の取り出しを抑止するように、前記現金出し入れ機能による該複数の対象カセットからの現金の取り出しを抑止する取出抑止機能と、
前記現金出し入れ機能により前記複数の対象カセットに現金が収納されるときに、該複数の対象カセットのカセット毎の現金の収納量を前記第１閾値より大きい所定の第２閾値より多くする現金の収納を抑止するように、前記現金出し入れ機能による該複数の対象カセットへの現金の収納を抑止する収納抑止機能と、
前記取出抑止機能により現金の取り出しを抑止されている全カセットのカセット毎の現金の収納量が、前記第１閾値に達したか否かを判別する抑止カセット第１閾値判別機能と、
前記収納抑止機能により現金の収納を抑止されている全カセットのカセット毎の現金の収納量が、前記第２閾値に達したか否かを判別する抑止カセット第２閾値判別機能と、
前記抑止カセット第１閾値判別機能により全カセットのカセット毎の現金の収納量が前記第１閾値に達したと判別されたときに、前記取出抑止機能により現金の取り出しを抑止されているカセットのうちの１のカセットからの現金の取り出しの抑止を解除し、該抑止を解除されたカセットからの、収納量を前記第１閾値より少なくする現金の取り出しを許可する取出抑止解除機能と、
前記抑止カセット第２閾値判別機能により全カセットのカセット毎の現金の収納量が前記第２閾値に達したと判別されたときに、前記収納抑止機能により現金の収納を抑止されているカセットのうちの１のカセットへの現金の収納の抑止を解除し、該抑止を解除されたカセットへの、収納量を前記第２閾値より多くする現金の収納を許可する収納抑止解除機能と、
を実現させるためのプログラム。
【請求項１０】
現金を収納するための個別に交換される複数のカセットを有する現金自動取引装置であって、
ユーザによる出金の操作に応じて、現金が収納されている前記複数のカセットから現金を取り出す現金取出手段と、
前記現金取出手段が前記複数のカセットに含まれる所定の複数の対象カセットから現金を取り出すときに、該複数の対象カセットのカセット毎の現金の収納量を所定の閾値より少なくする現金の取り出しを抑止するように、前記現金取出手段による該複数の対象カセットからの現金の取り出しを抑止する取出抑止手段と、
前記取出抑止手段により現金の取り出しを抑止されている全カセットのカセット毎の現金の収納量が、前記閾値に達したか否かを判別する抑止カセット閾値判別手段と、
前記抑止カセット閾値判別手段により全カセットのカセット毎の現金の収納量が前記閾値に達したと判別されたときに、前記取出抑止手段により現金の取り出しを抑止されているカセットのうちの１のカセットからの現金の取り出しの抑止を解除し、該抑止を解除されたカセットからの、収納量を前記閾値より少なくする現金の取り出しを許可する取出抑止解除手段と、
を備えることを特徴とする現金自動取引装置。
【請求項１１】
現金を収納するための個別に交換される複数のカセットを有する現金自動取引装置が実行する現金自動取引方法であって、
ユーザによる出金の操作を受け付け、該受け付けた出金の操作に応じて、現金が収納されている前記複数のカセットから現金を取り出す現金取出ステップと、
前記現金取出ステップにより前記複数のカセットに含まれる所定の複数の対象カセットから現金が取り出されるときに、該複数の対象カセットのカセット毎の現金の収納量を所定の閾値より少なくする現金の取り出しを抑止するように、前記現金取出ステップによる該複数の対象カセットからの現金の取り出しを抑止する取出抑止ステップと、
前記取出抑止ステップにより現金の取り出しを抑止されている全カセットのカセット毎の現金の収納量が、前記閾値に達したか否かを判別する抑止カセット閾値判別ステップと、
前記抑止カセット閾値判別ステップにより全カセットのカセット毎の現金の収納量が前記閾値に達したと判別されたときに、前記取出抑止ステップにより現金の取り出しを抑止されているカセットのうちの１のカセットからの現金の取り出しの抑止を解除し、該抑止を解除されたカセットからの、収納量を前記閾値より少なくする現金の取り出しを許可する取出抑止解除ステップと、
を含むことを特徴とする現金自動取引方法。
【請求項１２】
現金を収納するための個別に交換される複数のカセットを有する現金自動取引装置を制御するコンピュータに、
ユーザによる出金の操作に応じて、現金が収納されている前記複数のカセットから現金を取り出す現金取出機能と、
前記現金取出機能により前記複数のカセットに含まれる所定の複数の対象カセットから現金が取り出されるときに、該複数の対象カセットのカセット毎の現金の収納量を所定の閾値より少なくする現金の取り出しを抑止するように、前記現金取出機能による該複数の対象カセットからの現金の取り出しを抑止する取出抑止機能と、
前記取出抑止機能により現金の取り出しを抑止されている全カセットのカセット毎の現金の収納量が、前記閾値に達したか否かを判別する抑止カセット閾値判別機能と、
前記抑止カセット閾値判別機能により全カセットのカセット毎の現金の収納量が前記閾値に達したと判別されたときに、前記取出抑止機能により現金の取り出しを抑止されているカセットのうちの１のカセットからの現金の取り出しの抑止を解除し、該抑止を解除されたカセットからの、収納量を前記閾値より少なくする現金の取り出しを許可する取出抑止解除機能と、
を実現させるためのプログラム。
【請求項１３】
現金を収納するための個別に交換される複数のカセットを有する現金自動取引装置であって、
ユーザによる入金の操作に応じて、入金された現金を前記複数のカセットに収納する現金収納手段と、
前記現金収納手段が前記複数のカセットに含まれる所定の複数の対象カセットに現金を収納するときに、該複数の対象カセットのカセット毎の現金の収納量を所定の閾値より多くする現金の収納を抑止するように、前記現金収納手段による該複数の対象カセットへの現金の収納を抑止する収納抑止手段と、
前記収納抑止手段により現金の収納を抑止されている全カセットのカセット毎の現金の収納量が、前記閾値に達したか否かを判別する抑止カセット閾値判別手段と、
前記抑止カセット閾値判別手段により全カセットのカセット毎の現金の収納量が前記閾値に達したと判別されたときに、前記収納抑止手段により現金の収納を抑止されているカセットのうちの１のカセットへの現金の収納の抑止を解除し、該抑止を解除されたカセットへの、収納量を前記閾値より多くする現金の収納を許可する収納抑止解除手段と、
を備えることを特徴とする現金自動取引装置。
【請求項１４】
現金を収納するための個別に交換される複数のカセットを有する現金自動取引装置が実行する現金自動取引方法であって、
ユーザによる入金の操作を受け付け、該受け付けた入金の操作に応じて、入金された現金を前記複数のカセットに収納する現金収納ステップと、
前記現金収納ステップにより前記複数のカセットに含まれる所定の複数の対象カセットに現金が収納されるときに、該複数の対象カセットのカセット毎の現金の収納量を所定の閾値より多くする現金の収納を抑止するように、前記現金収納ステップによる該複数の対象カセットへの現金の収納を抑止する収納抑止ステップと、
前記収納抑止ステップにより現金の収納を抑止されている全カセットのカセット毎の現金の収納量が、前記閾値に達したか否かを判別する抑止カセット閾値判別ステップと、
前記抑止カセット閾値判別ステップにより全カセットのカセット毎の現金の収納量が前記閾値に達したと判別されたときに、前記収納抑止ステップにより現金の収納を抑止されているカセットのうちの１のカセットへの現金の収納の抑止を解除し、該抑止を解除されたカセットへの、収納量を前記閾値より多くする現金の収納を許可する収納抑止解除ステップと、
を含むことを特徴とする現金自動取引方法。
【請求項１５】
現金を収納するための個別に交換される複数のカセットを有する現金自動取引装置を制御するコンピュータに、
ユーザによる入金の操作を受け付け、該受け付けた入金の操作に応じて、入金された現金を前記複数のカセットに収納する現金収納機能と、
前記現金収納機能により前記複数のカセットに含まれる所定の複数の対象カセットに現金が収納されるときに、該複数の対象カセットのカセット毎の現金の収納量を所定の閾値より多くする現金の収納を抑止するように、前記現金収納機能による該複数の対象カセットへの現金の収納を抑止する収納抑止機能と、
前記収納抑止機能により現金の収納を抑止されている全カセットのカセット毎の現金の収納量が、前記閾値に達したか否かを判別する抑止カセット閾値判別機能と、
前記抑止カセット閾値判別機能により全カセットのカセット毎の現金の収納量が前記閾値に達したと判別されたときに、前記収納抑止機能により現金の収納を抑止されているカセットのうちの１のカセットへの現金の収納の抑止を解除し、該抑止を解除されたカセットへの、収納量を前記閾値より多くする現金の収納を許可する収納抑止解除機能と、
を実現させるためのプログラム。
【発明の詳細な説明】
【技術分野】
【０００１】
本発明は、ＡＴＭ（Automated Teller Machine）等の現金自動取引装置等に関する。
【背景技術】
【０００２】
近年、ＡＴＭは、銀行等の金融機関のみならず、コンビニエンスストア、公共施設等の様々な場所に設置されている。
このＡＴＭを利用することにより、例えば銀行に口座を有している顧客は、銀行の窓口を介さずに、その口座からの現金の引き出し、その口座への現金の預け入れ等の現金の取り引きを自動で行うことができる。
【０００３】
具体的には、ＡＴＭの内部には現金を収納するための現金カセットが収容されており、ＡＴＭは、顧客による現金引き出し操作に応じて、現金カセットから現金を取り出して顧客への支払い（出金）を行い、また、顧客による現金の預け入れ操作に応じて、顧客がＡＴＭに入れた現金を現金カセットに収納（入金）する。
【０００４】
現金カセットは、金種毎に分けて現金を収納する複数の金種カセットが一体となって構成されており、ＡＴＭにおいて取り引きされた現金を精査するために、例えば定期的に交換される。また、定期的な交換時期の前に、例えば取り引きが入金過多となり、ある金種の金種カセットが満杯になったような場合には、その金種カセットへの現金の更なる収納ができなくなるため、取り引きを一旦停止させて、その金種カセットを含む現金カセット全体の交換が行われる。
【０００５】
ＡＴＭにおいては、例え入金過多となってもできるだけ長い時間取り引きを維持できることが望まれるため、現金カセットを交換してから取り引きが停止されるまでの時間をできるだけ長くするための技術が開発されている（例えば、特許文献１参照）。
【先行技術文献】
【特許文献】
【０００６】
【特許文献１】特開２００６−３３１２２５号公報
【発明の概要】
【発明が解決しようとする課題】
【０００７】
ところで、近年のＡＴＭは、金融機関以外の様々な場所に設置されているため、交換された現金カセットの現金精査が設置場所で直接行われることは少なく、現金カセットの交換担当者が、担当地区内の複数の設置場所を巡って、ＡＴＭから現金カセットを回収して新たな現金カセットに交換し、回収した現金カセットを、現金を精査するための現金センターに輸送する。
【０００８】
また、交換用の新たな現金カセットは、現金センターで所定量の現金が収納された状態で、交換担当者によりＡＴＭの設置場所に輸送される。
【０００９】
このように、ＡＴＭから回収された現金カセットは、そのままの状態で現金センターに輸送され、交換用の現金カセットもまた、現金センターで現金が収納された状態のままでＡＴＭの設置場所に輸送されるため、現金カセットの輸送効率の改善には自ずと限界があった。
【００１０】
本発明は、上記実状に鑑みてなされたものであり、現金自動取引装置内の現金が収納されるカセットの現金精査を行う現金センターと、複数の現金自動取引装置の設置場所と、の間のカセットの輸送効率を、より良くすることができる現金自動取引装置等を提供することを目的とする。
【課題を解決するための手段】
【００１１】
上記目的を達成するため、本発明の第１の観点に係る現金自動取引装置は、
現金を収納するための個別に交換される複数のカセットを有する現金自動取引装置であって、
ユーザによる現金の取引操作に応じて、現金が収納されている前記複数のカセットからの現金の取り出し、及び、入金された現金の前記複数のカセットへの収納を行う現金出し入れ手段と、
前記現金出し入れ手段が前記複数のカセットに含まれる所定の複数の対象カセットから現金を取り出すときに、該複数の対象カセットのカセット毎の現金の収納量を所定の第１閾値より少なくする現金の取り出しを抑止するように、前記現金出し入れ手段による該複数の対象カセットからの現金の取り出しを抑止する取出抑止手段と、
前記現金出し入れ手段が前記複数の対象カセットに現金を収納するときに、該複数の対象カセットのカセット毎の現金の収納量を前記第１閾値より大きい所定の第２閾値より多くする現金の収納を抑止するように、前記現金出し入れ手段による該複数の対象カセットへの現金の収納を抑止する収納抑止手段と、
前記取出抑止手段により現金の取り出しを抑止されている全カセットのカセット毎の現金の収納量が、前記第１閾値に達したか否かを判別する抑止カセット第１閾値判別手段と、
前記収納抑止手段により現金の収納を抑止されている全カセットのカセット毎の現金の収納量が、前記第２閾値に達したか否かを判別する抑止カセット第２閾値判別手段と、
前記抑止カセット第１閾値判別手段により全カセットのカセット毎の現金の収納量が前記第１閾値に達したと判別されたときに、前記取出抑止手段により現金の取り出しを抑止されているカセットのうちの１のカセットからの現金の取り出しの抑止を解除し、該抑止を解除されたカセットからの、収納量を前記第１閾値より少なくする現金の取り出しを許可する取出抑止解除手段と、
前記抑止カセット第２閾値判別手段により全カセットのカセット毎の現金の収納量が前記第２閾値に達したと判別されたときに、前記収納抑止手段により現金の収納を抑止されているカセットのうちの１のカセットへの現金の収納の抑止を解除し、該抑止を解除されたカセットへの、収納量を前記第２閾値より多くする現金の収納を許可する収納抑止解除手段と、
を備えることを特徴とする。
【００１２】
また、本発明の第２の観点に係る現金自動取引方法は、
現金を収納するための個別に交換される複数のカセットを有する現金自動取引装置が実行する現金自動取引方法であって、
ユーザによる現金の取引操作を受け付け、該受け付けた取引操作に応じて、現金が収納されている前記複数のカセットからの現金の取り出し、及び、入金された現金の前記複数のカセットへの収納を行う現金出し入れステップと、
前記現金出し入れステップにより前記複数のカセットに含まれる所定の複数の対象カセットから現金が取り出されるときに、該複数の対象カセットのカセット毎の現金の収納量を所定の第１閾値より少なくする現金の取り出しを抑止するように、前記現金出し入れステップによる該複数の対象カセットからの現金の取り出しを抑止する取出抑止ステップと、
前記現金出し入れステップにより前記複数の対象カセットに現金が収納されるときに、該複数の対象カセットのカセット毎の現金の収納量を前記第１閾値より大きい所定の第２閾値より多くする現金の収納を抑止するように、前記現金出し入れステップによる該複数の対象カセットへの現金の収納を抑止する収納抑止ステップと、
前記取出抑止ステップにより現金の取り出しを抑止されている全カセットのカセット毎の現金の収納量が、前記第１閾値に達したか否かを判別する抑止カセット第１閾値判別ステップと、
前記収納抑止ステップにより現金の収納を抑止されている全カセットのカセット毎の現金の収納量が、前記第２閾値に達したか否かを判別する抑止カセット第２閾値判別ステップと、
前記抑止カセット第１閾値判別ステップにより全カセットのカセット毎の現金の収納量が前記第１閾値に達したと判別されたときに、前記取出抑止ステップにより現金の取り出しを抑止されているカセットのうちの１のカセットからの現金の取り出しの抑止を解除し、該抑止を解除されたカセットからの、収納量を前記第１閾値より少なくする現金の取り出しを許可する取出抑止解除ステップと、
前記抑止カセット第２閾値判別ステップにより全カセットのカセット毎の現金の収納量が前記第２閾値に達したと判別されたときに、前記収納抑止ステップにより現金の収納を抑止されているカセットのうちの１のカセットへの現金の収納の抑止を解除し、該抑止を解除されたカセットへの、収納量を前記第２閾値より多くする現金の収納を許可する収納抑止解除ステップと、
を含むことを特徴とする。
【００１３】
また、本発明の第３の観点に係るプログラムは、
現金を収納するための個別に交換される複数のカセットを有する現金自動取引装置を制御するコンピュータに、
ユーザによる現金の取引操作に応じて、現金が収納されている前記複数のカセットからの現金の取り出し、及び、入金された現金の前記複数のカセットへの収納を行う現金出し入れ機能と、
前記現金出し入れ機能により前記複数のカセットに含まれる所定の複数の対象カセットから現金が取り出されるときに、該複数の対象カセットのカセット毎の現金の収納量を所定の第１閾値より少なくする現金の取り出しを抑止するように、前記現金出し入れ機能による該複数の対象カセットからの現金の取り出しを抑止する取出抑止機能と、
前記現金出し入れ機能により前記複数の対象カセットに現金が収納されるときに、該複数の対象カセットのカセット毎の現金の収納量を前記第１閾値より大きい所定の第２閾値より多くする現金の収納を抑止するように、前記現金出し入れ機能による該複数の対象カセットへの現金の収納を抑止する収納抑止機能と、
前記取出抑止機能により現金の取り出しを抑止されている全カセットのカセット毎の現金の収納量が、前記第１閾値に達したか否かを判別する抑止カセット第１閾値判別機能と、
前記収納抑止機能により現金の収納を抑止されている全カセットのカセット毎の現金の収納量が、前記第２閾値に達したか否かを判別する抑止カセット第２閾値判別機能と、
前記抑止カセット第１閾値判別機能により全カセットのカセット毎の現金の収納量が前記第１閾値に達したと判別されたときに、前記取出抑止機能により現金の取り出しを抑止されているカセットのうちの１のカセットからの現金の取り出しの抑止を解除し、該抑止を解除されたカセットからの、収納量を前記第１閾値より少なくする現金の取り出しを許可する取出抑止解除機能と、
前記抑止カセット第２閾値判別機能により全カセットのカセット毎の現金の収納量が前記第２閾値に達したと判別されたときに、前記収納抑止機能により現金の収納を抑止されているカセットのうちの１のカセットへの現金の収納の抑止を解除し、該抑止を解除されたカセットへの、収納量を前記第２閾値より多くする現金の収納を許可する収納抑止解除機能と、
を実現させるためのものである。
【００１４】
また、本発明の第４の観点に係る現金自動取引装置は、
現金を収納するための個別に交換される複数のカセットを有する現金自動取引装置であって、
ユーザによる出金の操作に応じて、現金が収納されている前記複数のカセットから現金を取り出す現金取出手段と、
前記現金取出手段が前記複数のカセットに含まれる所定の複数の対象カセットから現金を取り出すときに、該複数の対象カセットのカセット毎の現金の収納量を所定の閾値より少なくする現金の取り出しを抑止するように、前記現金取出手段による該複数の対象カセットからの現金の取り出しを抑止する取出抑止手段と、
前記取出抑止手段により現金の取り出しを抑止されている全カセットのカセット毎の現金の収納量が、前記閾値に達したか否かを判別する抑止カセット閾値判別手段と、
前記抑止カセット閾値判別手段により全カセットのカセット毎の現金の収納量が前記閾値に達したと判別されたときに、前記取出抑止手段により現金の取り出しを抑止されているカセットのうちの１のカセットからの現金の取り出しの抑止を解除し、該抑止を解除されたカセットからの、収納量を前記閾値より少なくする現金の取り出しを許可する取出抑止解除手段と、
を備えることを特徴とする。
【００１５】
また、本発明の第５の観点に係る現金自動取引方法は、
現金を収納するための個別に交換される複数のカセットを有する現金自動取引装置が実行する現金自動取引方法であって、
ユーザによる出金の操作を受け付け、該受け付けた出金の操作に応じて、現金が収納されている前記複数のカセットから現金を取り出す現金取出ステップと、
前記現金取出ステップにより前記複数のカセットに含まれる所定の複数の対象カセットから現金が取り出されるときに、該複数の対象カセットのカセット毎の現金の収納量を所定の閾値より少なくする現金の取り出しを抑止するように、前記現金取出ステップによる該複数の対象カセットからの現金の取り出しを抑止する取出抑止ステップと、
前記取出抑止ステップにより現金の取り出しを抑止されている全カセットのカセット毎の現金の収納量が、前記閾値に達したか否かを判別する抑止カセット閾値判別ステップと、
前記抑止カセット閾値判別ステップにより全カセットのカセット毎の現金の収納量が前記閾値に達したと判別されたときに、前記取出抑止ステップにより現金の取り出しを抑止されているカセットのうちの１のカセットからの現金の取り出しの抑止を解除し、該抑止を解除されたカセットからの、収納量を前記閾値より少なくする現金の取り出しを許可する取出抑止解除ステップと、
を含むことを特徴とする。
【００１６】
また、本発明の第６の観点に係るプログラムは、
現金を収納するための個別に交換される複数のカセットを有する現金自動取引装置を制御するコンピュータに、
ユーザによる出金の操作に応じて、現金が収納されている前記複数のカセットから現金を取り出す現金取出機能と、
前記現金取出機能により前記複数のカセットに含まれる所定の複数の対象カセットから現金が取り出されるときに、該複数の対象カセットのカセット毎の現金の収納量を所定の閾値より少なくする現金の取り出しを抑止するように、前記現金取出機能による該複数の対象カセットからの現金の取り出しを抑止する取出抑止機能と、
前記取出抑止機能により現金の取り出しを抑止されている全カセットのカセット毎の現金の収納量が、前記閾値に達したか否かを判別する抑止カセット閾値判別機能と、
前記抑止カセット閾値判別機能により全カセットのカセット毎の現金の収納量が前記閾値に達したと判別されたときに、前記取出抑止機能により現金の取り出しを抑止されているカセットのうちの１のカセットからの現金の取り出しの抑止を解除し、該抑止を解除されたカセットからの、収納量を前記閾値より少なくする現金の取り出しを許可する取出抑止解除機能と、
を実現させるためのものである。
【００１７】
また、本発明の第７の観点に係る現金自動取引装置は、
現金を収納するための個別に交換される複数のカセットを有する現金自動取引装置であって、
ユーザによる入金の操作に応じて、入金された現金を前記複数のカセットに収納する現金収納手段と、
前記現金収納手段が前記複数のカセットに含まれる所定の複数の対象カセットに現金を収納するときに、該複数の対象カセットのカセット毎の現金の収納量を所定の閾値より多くする現金の収納を抑止するように、前記現金収納手段による該複数の対象カセットへの現金の収納を抑止する収納抑止手段と、
前記収納抑止手段により現金の収納を抑止されている全カセットのカセット毎の現金の収納量が、前記閾値に達したか否かを判別する抑止カセット閾値判別手段と、
前記抑止カセット閾値判別手段により全カセットのカセット毎の現金の収納量が前記閾値に達したと判別されたときに、前記収納抑止手段により現金の収納を抑止されているカセットのうちの１のカセットへの現金の収納の抑止を解除し、該抑止を解除されたカセットへの、収納量を前記閾値より多くする現金の収納を許可する収納抑止解除手段と、
を備えることを特徴とする。
【００１８】
また、本発明の第８の観点に係る現金自動取引方法は、
現金を収納するための個別に交換される複数のカセットを有する現金自動取引装置が実行する現金自動取引方法であって、
ユーザによる入金の操作を受け付け、該受け付けた入金の操作に応じて、入金された現金を前記複数のカセットに収納する現金収納ステップと、
前記現金収納ステップにより前記複数のカセットに含まれる所定の複数の対象カセットに現金が収納されるときに、該複数の対象カセットのカセット毎の現金の収納量を所定の閾値より多くする現金の収納を抑止するように、前記現金収納ステップによる該複数の対象カセットへの現金の収納を抑止する収納抑止ステップと、
前記収納抑止ステップにより現金の収納を抑止されている全カセットのカセット毎の現金の収納量が、前記閾値に達したか否かを判別する抑止カセット閾値判別ステップと、
前記抑止カセット閾値判別ステップにより全カセットのカセット毎の現金の収納量が前記閾値に達したと判別されたときに、前記収納抑止ステップにより現金の収納を抑止されているカセットのうちの１のカセットへの現金の収納の抑止を解除し、該抑止を解除されたカセットへの、収納量を前記閾値より多くする現金の収納を許可する収納抑止解除ステップと、
を含むことを特徴とする。
【００１９】
また、本発明の第９の観点に係るプログラムは、
現金を収納するための個別に交換される複数のカセットを有する現金自動取引装置を制御するコンピュータに、
ユーザによる入金の操作を受け付け、該受け付けた入金の操作に応じて、入金された現金を前記複数のカセットに収納する現金収納機能と、
前記現金収納機能により前記複数のカセットに含まれる所定の複数の対象カセットに現金が収納されるときに、該複数の対象カセットのカセット毎の現金の収納量を所定の閾値より多くする現金の収納を抑止するように、前記現金収納機能による該複数の対象カセットへの現金の収納を抑止する収納抑止機能と、
前記収納抑止機能により現金の収納を抑止されている全カセットのカセット毎の現金の収納量が、前記閾値に達したか否かを判別する抑止カセット閾値判別機能と、
前記抑止カセット閾値判別機能により全カセットのカセット毎の現金の収納量が前記閾値に達したと判別されたときに、前記収納抑止機能により現金の収納を抑止されているカセットのうちの１のカセットへの現金の収納の抑止を解除し、該抑止を解除されたカセットへの、収納量を前記閾値より多くする現金の収納を許可する収納抑止解除機能と、
を実現させるためのものである。
【発明の効果】
【００２０】
本発明においては、現金自動取引装置が、現金を収納するための個別に交換される複数のカセットを有する。そのため、現金自動取引装置において、複数のカセットの一部のカセットだけを交換することができる。
【００２１】
また、本発明においては、現金の取り出し又は収納が行われるカセットの現金の収納量が、所定の閾値で抑止され、抑止されている全カセットのカセット毎の収納量がその閾値に達した段階で、１つのカセットの抑止が解除される。そのため、現金自動取引装置で現金の取り引きが行われながらも、抑止が解除されていないカセットは、現金の収納量がその閾値の状態まま維持される。そして、現金の収納量がその閾値の状態にあるカセットは、他の現金自動取引装置のカセットの交換用のカセットとして使用することができる。
【００２２】
例えば、他の現金自動取引装置の複数のカセットの中に空又は満杯の状態のカセットがある場合、交換担当者は、まずは、現金自動取引装置から収納量が閾値状態のカセットを取り外し、新しいカセットと交換する。次に、交換担当者は、他の現金自動取引装置から空又は満杯の状態のカセットを取り外し、前に取り外した収納量が閾値状態のカセットと交換し、空又は満杯の状態のカセットだけを回収する。
【００２３】
このように、本発明によれば、複数の現金自動取引装置の間で部分的なカセットの転用を行うことができ、転用させるカセットについては、カセットの現金精査を行う現金センターに一旦持ち帰る手間を省くことができる。
従って、本発明によれば、現金センターと複数の現金自動取引装置の設置場所との間のカセットの輸送効率を、より良くすることができる。
【図面の簡単な説明】
【００２４】
【図１】本発明の第１の実施形態に係る現金自動取引装置の外観例を示す図である。
【図２】図１に示した現金カセットをより具体的に示す図である。
【図３】現金自動取引装置のハードウェア構成例を示すブロック図である。
【図４】現金自動取引装置の機能的な構成例を示すブロック図である。
【図５】片寄せモードで現金カセット内の現金が出し入れされる様子を示す図である。
【図６】均等モードで現金カセット内の現金が出し入れされる様子を示す図である。
【図７】現金の収納量が第１閾値であるカセットの転用の様子を示す図である。
【図８】現金の収納量が第２閾値であるカセットの転用の様子を示す図である。
【図９】応用例における現金自動取引装置の機能的な構成例を示すブロック図である。
【図１０】図９に示した取出抑止解除部によって取り出し抑止が順次解除されていく様子を示す図である。
【図１１】図９に示した収納抑止解除部によって収納抑止が順次解除されていく様子を示す図である。
【図１２】本発明の第２の実施形態において現金カセット内の現金が出し入れされる様子を示す図である。
【発明を実施するための形態】
【００２５】
以下、本発明の実施形態を図面を参照して説明する。
【００２６】
［第１の実施形態］
図１は、本発明の第１の実施形態に係る現金自動取引装置１の外観例を示す図である。
現金自動取引装置１は、例えばＡＴＭ（Automated Teller Machine）であり、図１に示すように、表示部１１と、操作部１２と、カード挿入口１３と、入金口１４と、出金口１５と、を備えている。
【００２７】
また、現金自動取引装置１の内部には、現金を収納するため現金カセット１６が収容されている。
【００２８】
例えば、金融機関に口座を有する預金者等の利用者は、自己の口座から現金を引き出す場合、表示部１１に表示される指示に従って、カード挿入口１３にキャッシュカード等を挿入し、操作部１２を操作して、引き出し金額の指定等を含む現金引き出し操作を行う。この操作に応じて、現金自動取引装置１は、利用者の口座情報を更新処理を行うと共に、指定された金額の現金を現金カセット１６から取り出し、出金口１５に送出する。利用者は、出金口１５に送出された現金を受け取る。
【００２９】
また、例えば、利用者が自己の口座に現金を預け入れる場合には、表示部１１に表示される指示に従って、カード挿入口１３にキャッシュカード等を挿入し、預け入れる現金を入金口１４に入れ、操作部１２を操作して、現金預け入れ操作を行う。この操作に応じて、現金自動取引装置１は、利用者の口座情報の更新処理を行うと共に、入金口１４に入れられた現金を現金カセット１６に収納する。
【００３０】
現金自動取引装置１の例えば前面下部には、現金カセットを交換するための交換用扉１７が設けられており、この交換用扉１７を開くことにより、現金カセット１６は、現金自動取引装置１への取り付け及び現金自動取引装置１からの取り外しが可能とされている。
【００３１】
なお、図１において、表示部１１と操作部１２とは、タッチパネル等により一体とされていても良い。また、入金口１４と出金口１５とは、現金の入金及び出金に共通して用いられる入出金口として一体化されていても良い。
【００３２】
図２は、図１に示した現金カセット１６をより具体的に示す図である。
図２（ａ）に示すように、現金カセット１６は、複数のカセット２１、２２、２３、２４、２５が組み合わされて構成されている。具体的には、現金カセット１６は、金種カセット２１、２２、２３、２４と、リジェクトカセット２５と、から構成されている。
【００３３】
金種カセット２１、２２、２３、２４は、金種毎に分けて現金を収納するためのカセットである。また、リジェクトカセット２５は、金種が特定できない現金や、金種カセット２１、２２、２３、２４に収納できない金種の現金等を収納するためのカセットである。
【００３４】
金種カセット２１、２２、２３、２４は、現金自動取引装置１における設定に合わせて、どのカセットにどの金種が収納されるのかを任意に決定することができる。
【００３５】
例えば、現金自動取引装置１において一万円札、五千円札、二千円札、千円札の４つの金種を取り引きする場合には、金種カセット２１に一万円札、金種カセット２２に五千円札、金種カセット２３に二千円札、金種カセット２４に千円札をそれぞれ収納するようにしても良い。
【００３６】
また、複数の金種カセットに同一金種を収納するようにしても良く、例えば、現金自動取引装置１において一万円札と千円札との２つの金種を取り引きする場合には、金種カセット２１、２３に一万円札を収納し、金種カセット２２、２４に千円札を収納するようにしても良い。
【００３７】
以下においては、一万円札の取り引きが多いことを想定して、３つの金種カセット２１、２３、２４を一万円札を収納する万券カセットとし、１つの金種カセット２２を千円札を収納する千券カセットとして使用する場合を例にとり、本実施形態を説明する。
【００３８】
なお、本実施形態では、現金自動取引装置１が現金として紙幣を取り扱う場合を説明するが、硬貨を収納するためのカセットを用意して、現金として硬貨も取り扱うようにしても良い。
【００３９】
本実施形態における現金カセット１６は、構成しているカセット毎に分離することができ、カセット毎に個別に交換することができる。即ち、図２（ｂ）に例示するように、現金カセット１６を構成するカセット２１、２２、２３、２４、２５のそれぞれは、他のカセットが現金自動取引装置１に取り付けられた状態のまま、現金自動取引装置１から取り外されることができる。
【００４０】
このため、本実施形態に係る現金自動取引装置１は、カセット２１、２２、２３、２４、２５が組み合わされた現金カセット１６の全体を交換する全カセット交換が可能であるだけでなく、カセット２１、２２、２３、２４、２５のそれぞれを単独で交換する一部カセット交換も可能とされている。
【００４１】
図３は、現金自動取引装置１のハードウェア構成例を示すブロック図である。
図３に示すように、現金自動取引装置１は、現金取扱部３１と、カード取扱部３２と、入力部３３と、出力部３４と、通信部３５と、記憶部３６と、現金自動取引制御部３７と、を備えており、これらの各部はバス３８で接続されている。
【００４２】
現金取扱部３１は、現金自動取引装置１において現金を取り扱う部分であり、現金カセット１６への現金の収納及び現金カセット１６からの現金の取り出しを行うための機構部を含む。具体的には、現金取扱部３１は、図１に示した入金口１４と、出金口１５と、現金カセット１６と、を含み、更に、金種鑑別部４１と、現金移動経路４２と、収納量検知部４３と、現金取扱制御部４４と、を備えている。
【００４３】
金種鑑別部４１は、現金の金種を鑑別する装置である。例えば、入金口１４に入れられた現金は、金種鑑別部４１で金種を鑑別された後、現金カセット１６を構成するカセット２１、２２、２３、２４、２５のうち、鑑別された金種を収納するように設定されている金種カセットに収納される。
【００４４】
現金移動経路４２は、現金が移動する経路であり、入金口１４と、出金口１５と、金種識別部４１と、現金カセット１６を構成する各カセット２１、２２、２３、２４、２５と、の間を結ぶように設けられている。
【００４５】
収納量検知部４３は、現金カセット１６を構成する各カセット２１、２２、２３、２４、２５に収納されている現金の収納量を、カセット毎に検知する装置である。
【００４６】
現金取扱制御部４４は、現金取扱部３１内の各部に接続されており、その各部を制御することにより、現金取扱部３１における全体的な動作を制御する制御部である。
【００４７】
例えば、現金取扱制御部４４は、現金が入金口１４から入金されると、現金移動経路４２を制御して、入金された現金を金種鑑別部４１に搬送し、金種鑑別部４１に現金の金種を鑑別させる。現金取扱制御部４４は、金種鑑別部４１から鑑別結果を受け取り、その鑑別結果に基づいて、現金カセット１６内のカセット２１、２２、２３、２４、２５の中から収納されるべきカセットを決定する。そして、現金移動経路４２を制御して、決定したカセットに、入金された現金を収納する。
【００４８】
また、例えば利用者に指定された金額の現金を出金する際には、現金取扱制御部４４は、指定された金額となる枚数の金種を、現金カセット１６内の各カセット２１、２２、２３、２４、２５から取り出し、現金移動経路４２を制御して、出金口１５に搬送する。
【００４９】
また、あるカセットがカセットに現金が収納されていない空の状態であることを収納量検知部４３が検知すると、現金取扱制御部４４は、その検知情報を受信し、そのカセットからの現金の取り出しを抑止する。また、あるカセットがカセットに収納可能量限界の現金が収納されている満杯の状態であることを収納量検知部４３が検知すると、現金取扱制御部４４は、その検知情報を受信し、そのカセットへのそれ以上の現金の収納を抑止する。
【００５０】
更に、現金取扱制御部４４は、バス３８に接続されており、上位の制御部である現金自動取引制御部３７からの指示に基づき、様々な態様で、現金カセット１６からの現金の取り出し、現金カセット１６への現金の収納を行う。
【００５１】
なお、本実施形態においては、収納量検知部４３は、現金取扱制御部４４に接続されており、現金自動取引制御部３７が収納量の検知情報を必要とする場合には、現金取扱制御部４４を介して取得する構成とされているが、収納量検知部４３はバス３８に直接接続されていても良い。
【００５２】
カード取扱部３２は、利用者が現金の引き出しや預け入れ等を行う際に現金自動取引装置１に挿入されるキャッシュカード等のカードを取り扱う部分である。カード取扱部３２は、図１に示したカード挿入口１３を含み、更に、カードに記録されている情報の読み取り及びカードへの情報の書き込みを行うためのリーダライタ、カード取扱部３２における全体的な動作を制御するカード取扱制御部等を備えている。
【００５３】
入力部３３は、図１に示した操作部１２を含み、現金自動取引装置１に様々な情報を入力するために使用されるものである。入力部３３は、例えば、操作パネル、ボタン、キーボード等の入力装置を備えている。
【００５４】
出力部３４は、図１に示した表示部１１を含み、様々な情報を出力するためのものである。出力部３４は、例えば、ディスプレイ、スピーカ等の出力装置を備えている。
。
【００５５】
通信部３５は、通信インタフェース等を備えており、通信ネットワークを介して他の装置と通信を行うためのものである。例えば、現金自動取引装置１は、通信部３５を用いて、金融機関のサーバ等と通信を行い、利用者の認証情報、口座情報等のデータの送受信を行う。
【００５６】
記憶部３６は、ハードディスク等の補助記憶装置を備えており、様々な情報やプログラム等を記憶するためのものである。例えば、記憶部３６には、現金カセット１６から現金を取り出す動作及び現金カセット１６へ現金を収納する動作を制御する機能を、現金自動取引装置１に実現させるためのプログラム等が格納されている。
【００５７】
現金自動取引制御部３７は、ＣＰＵ（Central Processing Unit）、ＲＯＭ（Read Only Memory）、ＲＡＭ（Random Access Memory）等から構成され、データの演算処理を行うと共に、現金自動取引装置１の全体を制御する。現金自動取引制御部３７における演算処理及び制御処理は、具体的には、ＣＰＵが、ＲＡＭを作業領域として使用して各種データを一時的に記憶させながら、ＲＯＭに記憶されている制御プログラムを実行することにより行われる。
【００５８】
現金自動取引制御部３７が、ＲＯＭや記憶部３６に記憶されているプログラムに従って、現金取扱部３１、カード取扱部３２、入力部３３、出力部３４、通信部３５、及び記憶部３６を制御することにより、現金自動取引装置１において、現金カセット１６から現金を取り出す動作、現金カセット１６へ現金を収納する動作等の様々な動作が実行される。
【００５９】
また、現金自動取引制御部３７は、現金取扱制御部４４を介して現金取扱部３１を制御し、カード取扱制御部（図示せず）を介してカード取扱部３２を制御する。なお、現金取扱制御部４４及びカード取扱制御部（図示せず）も、現金自動取引制御部３７と同様に、ＣＰＵ、ＲＯＭ、ＲＡＭ等から構成されている。
【００６０】
図４は、現金自動取引装置１の機能的な構成例を示すブロック図である。
図４に示すように、現金自動取引装置１は、現金自動取引制御部３７の処理によって実現される機能的な構成として、現金出し入れ部１０１、取出抑止部１０２、収納抑止部１０３、抑止カセット第１閾値判別部１０４、抑止カセット第２閾値判別部１０５、取出抑止解除部１０６、及び収納抑止解除部１０７を備えている。
【００６１】
現金出し入れ部１０１は、入力部３３を介した利用者（ユーザ）による現金の取引操作に応じて、現金カセット１６内の現金が収納されている複数のカセット２１、２２、２３、２４、２５から現金を取り出し、入金された現金を複数のカセット２１、２２、２３、２４、２５へ収納する。
【００６２】
より具体的には、現金出し入れ部１０１は、現金取出部１１１と、現金収納部１１２と、を含んでいる。現金取出部１１１は、利用者による出金の操作に応じて、現金が収納されている複数のカセット２１、２２、２３、２４、２５から現金を取り出す。現金収納部１１２は、利用者による入金の操作に応じて、入金された現金を複数のカセット２１、２２、２３、２４、２５に収納する。
【００６３】
取出抑止部１０２は、現金取出部１１１を制御して、複数のカセット２１、２２、２３、２４、２５内に所定量の現金を残しておくように、各カセットからの現金の取り出しを抑止制御する。
【００６４】
取出抑止部１０２は、複数のカセット２１、２２、２３、２４、２５の中から、取り出し抑止の対象とする複数の対象カセットを選んで、抑止制御を行うことができる。
【００６５】
この複数の対象カセットは、同一の金種の現金が収納されるカセットとするのが好適である。そうすることにより、現金カセット１６内の同一の金種の収納量をまとめて把握することができる。
ここでは、カセット２１、２２、２３、２４、２５の中の３つのカセット２１、２３、２４を一万円札を収納する万券カセットとし、この万券カセット２１、２３、２４を対象カセットとする場合を例に説明する。
【００６６】
取出抑止部１０２は、現金取出部１１１が万券カセット２１、２３、２４から一万円札を取り出すときに、次のような現金取出部１１１による取り出しを抑止する。即ち、取出抑止部１０２は、万券カセット２１、２３、２４のカセット毎の現金の収納量を所定の第１閾値より少なくするような現金の取り出しを抑止する。
【００６７】
この所定の第１閾値は、適宜設定可能な下限閾値であり、例えば、万券カセット２１、２３、２４の１のカセットに現金が満杯に収納されたときの収納量の、５〜１５％の量を示す値に設定することができる。具体的には、カセット毎の満杯の収納量が３０００枚の場合であれば、例えば１０％の３００枚に設定することができる。
なお、現金自動取引装置１が設置される店舗の入出金傾向の特性により、カセット毎の好適な収納量は変化する。そのため、第１閾値の設定値は調整可能である。具体的には、第１閾値の設定値は、記憶部３６等に記憶されており、現金自動取引装置１の管理者等が実際の運用実績等に基づき書き換えることにより調整が可能である。
【００６８】
取出抑止部１０２は、万券カセット２１、２３、２４の各カセットの現金の収納量が第１閾値であるか否かを、収納量検知部４３から取得する検知情報に基づき判断する。
具体的には、取出抑止部１０２は、収納量検知部４３の検知情報に基づき、万券カセット２１、２３、２４の中の何れかのカセットの収納量が第１閾値に達したか否かを判断する。収納量が第１閾値に達したカセットがあった場合には、取出抑止部１０２は、そのカセットからのそれ以上の現金の取り出しを抑止し、収納量が第１閾値より多い他のカセットから現金が取り出されるように現金取出部１１１を制御する。
【００６９】
収納抑止部１０３は、現金収納部１１２を制御して、複数のカセット２１、２２、２３、２４、２５内に現金が収納できる所定量の空きを残しておくように、各カセットへの現金の収納を抑止制御する。
【００７０】
収納抑止部１０３は、取出抑止部１０２と同様に、複数のカセット２１、２２、２３、２４、２５の中から、収納抑止の対象とする複数の対象カセットを選んで、抑止制御を行うことができる。ここでは、収納抑止の場合も、取り出し抑止の場合と同様に、万券カセット２１、２３、２４を対象カセットとする。
【００７１】
収納抑止部１０３は、現金収納部１１２が万券カセット２１、２３、２４に一万円札を収納するときに、次のような現金取出部１１２による収納を抑止する。即ち、収納抑止部１０３は、万券カセット２１、２３、２４のカセット毎の現金の収納量を所定の第２閾値より多くするような現金の収納を抑止する。
【００７２】
この所定の第２閾値は、第１閾値より大きい値の適宜設定可能な上限閾値であり、例えば、万券カセット２１、２３、２４の１のカセットに現金が満杯に収納されたときの収納量の、７０〜９０％の量を示す値に設定することができる。具体的には、カセット毎の満杯の収納量が３０００枚の場合であれば、８０％の２４００枚に設定することができる。
なお、現金自動取引装置１が設置される店舗の入出金傾向の特性により、カセット毎の好適な収納量は変化する。そのため、第２閾値の設定値は調整可能である。具体的には、第２閾値の設定値は、記憶部３６等に記憶されており、現金自動取引装置１の管理者等が実際の運用実績等に基づき書き換えることにより調整が可能である。
【００７３】
収納抑止部１０３は、万券カセット２１、２３、２４の各カセットの現金の収納量が第２閾値であるか否かを、収納量検知部４３から取得する検知情報に基づき判断する。
具体的には、収納抑止部１０３は、収納量検知部４３の検知情報に基づき、万券カセット２１、２３、２４の中の何れかのカセットの収納量が第２閾値に達したか否かを判断する。収納量が第２閾値に達したカセットがあった場合には、収納抑止部１０３は、そのカセットへのそれ以上の現金の収納を抑止し、収納量が第２閾値より少ない他のカセットに現金が収納されるように現金収納部１１２を制御する。
【００７４】
ここで、取出抑止部１０２及び収納抑止部１０３による制御の下、現金出し入れ部１０１（現金取出部１１１及び現金収納部１１２）が、現金カセット１６内の現金を出し入れする動作の具体例を説明する。
【００７５】
図５及び図６は、現金出し入れ部１０１によって現金カセット１６内の現金が出し入れされる様子を示す図である。
現金カセット１６内の現金を出し入れする態様には、様々なものが考えられるが、ここでは、片寄せモードと均等モードとを用いた出し入れについて説明する。
【００７６】
なお、図中、「万」は万券カセット、「千」は千券カセット、「Ｒ」はリジェクトカセットであることを示している。
【００７７】
図５は、片寄せモードで現金カセット１６内の現金が出し入れされる様子を示す図である。
片寄せモードは、１つの金種につき２個以上のカセットがある場合に、その時点での収納量（残高）の少ないカセットから現金を取り出し（出金）、その時点での収納量の多いカセットに現金を収納する（入金）するモードである。
【００７８】
抑止制御の対象カセットを万券カセット２１、２３、２４とする場合、図５（ａ）に示すように、現金取出部１１１は、収納量の最も少ない万券カセット２４から一万円札を取り出し、現金収納部１１２は、収納量の最も多い万券カセット２１に一万円札を収納する。
【００７９】
そして、現金の出し入れが続き、例えば、万券カセット２４の収納量が第１閾値に達すると、取出抑止部１０２により万券カセット２４からの一万円札の取り出しが抑止され、万券カセット２１の収納量が第２閾値に達すると、収納抑止部１０３により万券カセット２１への一万円札の収納が抑止される。その結果、図５（ｂ）に示すように、残りの万券カセット２３が、現金取出部１１１及び現金収納部１１２による一万円札の取り出し及び収納に使用される。
【００８０】
ここで、現金自動取引装置１が、利用者による現金取り引きとして入金より出金の多い傾向にある出金過多の現金自動取引装置である場合には、図５（ｃ）に示すように、万券カセット２３の収納量もそのうちに第１閾値に達し、その場合、収納量が第２閾値に達している万券カセット２１から一万円札の取り出しが行われる。
【００８１】
そして、最終的には、図５（ｄ）に示すように、すべての万券カセット２１、２３、２４の各収納量が第１閾値に達する。
【００８２】
一方で、現金自動取引装置１が、利用者による現金取り引きとして出金より入金の多い傾向にある入金過多の現金自動取引装置である場合には、図５（ｅ）に示すように、万券カセット２３の収納量もそのうちに第２閾値に達し、その場合、収納量が第１閾値に達している万券カセット２４への一万円札の収納が行われる。
【００８３】
そして、最終的には、図５（ｆ）に示すように、すべての万券カセット２１、２３、２４の各収納量が第２閾値に達する。
【００８４】
図６は、均等モードで現金カセット１６内の現金が出し入れされる様子を示す図である。
均等モードは、１つの金種につき２個以上のカセットがある場合に、その時点での収納量の少ないカセットに現金を収納し、その時点での収納量の多いカセットから現金を取り出すモードである。
【００８５】
抑止制御の対象カセットを万券カセット２１、２３、２４とする場合、図６（ａ）に示すように、現金取出部１１１は、収納量の最も多い万券カセット２１から一万円札を取り出し、現金収納部１１２は、収納量の最も少ない万券カセット２４に一万円札を収納する。
【００８６】
均等モードでは、現金の出し入れが続くと、図６（ｂ）に示すように、万券カセット２１、２３、２４の各収納量は均等化され、均等化された状態を維持したまま、現金取出部１１１及び現金収納部１１２による一万円札の取り出し及び収納が行われる。
【００８７】
ここで、現金自動取引装置１が出金過多の現金自動取引装置である場合、図６（ｃ）に示すように、すべての万券カセット２１、２３、２４の各収納量が、均等化された状態のまま徐々に減少していく。
【００８８】
そして、収容量が第１閾値より少なくなるような万券カセット２１、２３、２４からの一万円札の取り出しが取出抑止部１０２によって抑止されることにより、最終的には、図６（ｄ）に示すように、すべての万券カセット２１、２３、２４の各収納量が第１閾値に達する。
【００８９】
一方で、現金自動取引装置１が入金過多の現金自動取引装置である場合、図６（ｅ）に示すように、すべての万券カセット２１、２３、２４の各収納量が、均等化された状態のまま徐々に増加していく。
【００９０】
そして、収容量が第２閾値より多くなるような万券カセット２１、２３、２４への一万円札の収納が収納抑止部１０３によって抑止されることにより、最終的には、図６（ｆ）に示すように、すべての万券カセット２１、２３、２４の各収納量が第２閾値に達する。
【００９１】
図４に戻り、抑止カセット第１閾値判別部１０４は、取出抑止部１０２により現金の取り出しを抑止されている全カセットのカセット毎の現金の収納量が、第１閾値に達したか否かを判別する。
【００９２】
また、抑止カセット第２閾値判別部１０５は、収納抑止部１０３により現金の収納を抑止されている全カセットのカセット毎の現金の収納量が、第２閾値に達したか否かを判別する。
【００９３】
具体的には、抑止カセット第１閾値判別部１０４及び抑止カセット第２閾値判別部１０５は、収納量検知部４３から取得する検知情報に基づき判別を行う。
例えば、抑止カセット第１閾値判別部１０４は、抑止対象としている万券カセット２１、２３、２４内の一万円札が片寄せモード又は均等モードによって出し入れされている間、収納量検知部４３の検知情報に基づき、万券カセット２１、２３、２４のすべてのカセットにおいて、カセット毎の収納量が第１閾値になったかを判断する。また、抑止カセット第２閾値判別部１０５も、同様に、すべての万券カセット２１、２３、２４において、カセット毎の収納量が第２閾値になったかを判断する。
【００９４】
取出抑止解除部１０６は、抑止カセット第１閾値判別部１０４により全カセットのカセット毎の現金の収納量が第１閾値に達したと判別されたときに、取出抑止部１０２により現金の取り出しを抑止されているカセットのうちの１のカセットからの現金の取り出しの抑止を解除する。これにより、その抑止を解除されたカセットからの、収納量を第１閾値より少なくする現金の取り出しが許可される。
【００９５】
例えば、抑止カセット第１閾値判別部１０４は、３つの万券カセット２１、２３、２４のすべてのカセット毎の収納量が第１閾値になったと判断すると、その判断情報を取出抑止解除部１０６に送信する。取出抑止解除部１０６は、その判断情報を受信すると、３つのうちの１つの万券カセットに対する取り出し抑止を解除するように、取出抑止部１０２に指示情報を送信する。
【００９６】
抑止を解除する１つの万券カセットは、任意に選択して良く、例えば、リジェクトカセット２５から離れているカセットから優先的に選択しても良い。
【００９７】
取出抑止部１０２は、取出抑止解除部１０６からの指示情報に基づき、１つの万券カセットからの第１閾値を下回る取り出しを許可する一方で、それ以外の２つの万券カセットに対する取り出し抑止は維持する。
【００９８】
収納抑止解除部１０７は、抑止カセット第２閾値判別部１０５により全カセットのカセット毎の現金の収納量が第２閾値に達したと判別されたときに、収納抑止部１０３により現金の収納を抑止されているカセットのうちの１のカセットへの現金の収納の抑止を解除する。これにより、その抑止を解除されたカセットへの、収納量を第２閾値より多くする現金の収納が許可される。
【００９９】
例えば、抑止カセット第２閾値判別部１０５は、３つの万券カセット２１、２３、２４のすべてのカセット毎の収納量が第２閾値になったと判断すると、その判断情報を収納抑止解除部１０７に送信する。収納抑止解除部１０７は、その判断情報を受信すると、３つのうちの１つの万券カセットに対する収納抑止を解除するように、収納抑止部１０３に指示情報を送信する。
【０１００】
収納抑止部１０３は、収納抑止解除部１０７からの指示情報に基づき、１つの万券カセットへの第２閾値を上回る収納を許可する一方で、それ以外の２つの万券カセットに対する収納抑止は維持する。
【０１０１】
以上説明したように、本実施形態においては、現金自動取引装置１に収容される現金カセット１６を構成している複数のカセット２１、２２、２３、２４、２５の一部のカセットだけを交換することができる。
【０１０２】
また、本実施形態においては、カセット２１、２２、２３、２４、２５の現金の収納量が、第１閾値（下限値）及び第２閾値（上限値）で抑止され、抑止されている全カセットのカセット毎の収納量が第１閾値又は第２閾値に達した段階で、１つのカセットの取り出し抑止又は収納抑止が解除される。そのため、現金自動取引装置１で現金の取り引きが行われながらも、抑止が解除されていないカセットは、現金の収納量がそれらの閾値の状態まま維持される。そして、現金の収納量がそれらの閾値の状態にあるカセットは、他の現金自動取引装置のカセットの交換用のカセットとして使用することができる。
【０１０３】
具体的には、入金過多の現金自動取引装置に収容されているカセットを交換して新たなカセットを取り付ける場合、入金過多ではあっても出金される可能性もあるため、その新たなカセットは、空の状態ではなく、所定量の現金が残されていることが好ましい。
そのために、入金過多の現金自動取引装置に新たに取り付けられるカセットの現金の収納量の初期値を、第１閾値に設定しておく。
これにより、現金自動取引装置１内で第１閾値の状態に維持されているカセットを、交換用のカセットとして取り外して、入金過多の現金自動取引装置内の満杯になっているカセットを取り外した後に新たに取り付けるカセットとすることができる。
【０１０４】
また、出金過多の現金自動取引装置に収容されているカセットを交換して新たなカセットを取り付ける場合、出金過多ではあっても入金される可能性もあるため、その新たなカセットは、満杯の状態ではなく、所定量の空きがあることが好ましい。
そのために、出金過多の現金自動取引装置に新たに取り付けられるカセットの現金の収納量の初期値を、第２閾値に設定しておく。
これにより、現金自動取引装置１内で第２閾値の状態に維持されているカセットを、交換用のカセットとして取り外して、出金過多の現金自動取引装置内の空になっているカセットを取り外した後に新たに取り付けるカセットとすることができる。
【０１０５】
このため、例えば、他の現金自動取引装置の複数のカセットの中に空又は満杯の状態のカセットがある場合、カセットの交換担当者は、まずは、現金自動取引装置１から収納量が閾値状態のカセットを取り外し、新しいカセットと交換する。次に、交換担当者は、他の現金自動取引装置から空又は満杯の状態のカセットを取り外し、前に取り外した収納量が閾値状態のカセットと交換し、空又は満杯の状態のカセットだけを回収する。
【０１０６】
図７は、現金の収納量が第１閾値であるカセットの転用の様子を示す図である。
図７（ａ）は、転送元の現金カセット１６であり、取出抑止解除部１０６により万券カセット２１の取り出し抑止が解除され、万券カセット２３、２４の取り出し抑止が維持されている状態を示している。
取り出し抑止が維持されていることにより収納量が第１閾値である万券カセット２３、２４は、図７（ｂ）及び（ｃ）に示す転送先の現金カセットの中の満杯状態のカセットに転用される。
【０１０７】
図８は、現金の収納量が第２閾値であるカセットの転用の様子を示す図である。
図８（ａ）は、転送元の現金カセット１６であり、収納抑止解除部１０７により万券カセット２１の収納抑止が解除され、万券カセット２３、２４の収納抑止が維持されている状態を示している。
収納抑止が維持されていることにより収納量が第２閾値である万券カセット２３、２４は、図８（ｂ）及び（ｃ）に示す転送先の現金カセットの中の空状態のカセットに転用される。
【０１０８】
このように、本実施形態によれば、複数の現金自動取引装置の間で部分的なカセットの転用を行うことができ、転用させるカセットについては、カセットの現金精査を行う現金センターに一旦持ち帰る手間を省くことができる。
従って、本実施形態によれば、現金センターと複数の現金自動取引装置の設置場所との間のカセットの輸送効率を、より良くすることができる。
【０１０９】
なお、本実施形態は、様々な変形及び応用が可能である。
例えば、転用先のカセットは空又は満杯でなくても良く、空に近い状態又は満杯に近い状態であっても良い。
【０１１０】
具体的には、交換担当者の担当地区内に、本実施形態に係る現金自動取引装置１が複数有り、出金過多の現金自動取引装置１と入金過多の現金自動取引装置１とがある場合には、出金過多の現金自動取引装置１の第１閾値状態のカセットと、入金過多の現金自動取引装置１の第２閾値状態のカセットを互いに交換しても良い。
その場合には、カセットを回収して現金センターに輸送する必要がなくなる。
【０１１１】
また、上記実施形態では、現金自動取引装置１は、現金カセット１６からの現金の取り出しと現金カセット１６への現金の収納とを共に行っている。
しかしながら、現金自動取引装置１は、現金カセット１６からの現金の取り出しと現金カセット１６への現金の収納との何れか一方を行う出金専用又は入金専用の現金自動取引装置であっても良い。
【０１１２】
例えば、現金自動取引装置１が出金専用の場合には、図４中の現金自動取引制御部３７は、現金取出部１１１、取出抑止部１０２、抑止カセット第１閾値判別部１０４、及び取出抑止解除部１０６を備えていれば良い。
【０１１３】
また、現金自動取引装置１が入金専用の場合には、図４中の現金自動取引制御部３７は、現金収納部１１２、収納抑止部１０３、抑止カセット第２閾値判別部１０５、及び収納抑止解除部１０７を備えていれば良い。
【０１１４】
［応用例］
上記第１の実施形態では、図４中の取出抑止解除部１０６及び収納抑止解除部１０７によって、抑止対象の複数のカセットの中から１のカセットの抑止が解除される場合について説明したが、複数のカセットの抑止は順次解除されていっても良い。
そこで、抑止が順次解除されていく場合を、第１の実施形態の応用例として説明する。
【０１１５】
図９は、その応用例における現金自動取引装置１の機能的な構成例を示すブロック図である。
図９に示すように、現金自動取引装置１は、図４に示した構成に加えて、現金自動取引制御部３７の処理によって実現される機能的な構成として、解除カセット空判別部１２１及び解除カセット満杯判別部１２２を備えている。なお、図４で既に説明した構成については説明を省略する。
【０１１６】
解除カセット空判別部１２１は、取出抑止解除部１０６により抑止を解除されたカセットが空とされたか否かを判別する。
また、解除カセット満杯判別部１２２は、収納抑止解除部１０７により抑止を解除されたカセットの現金の収納量が満杯とされたか否かを判別する。
【０１１７】
具体的には、解除カセット空判別部１２１及び解除カセット満杯判別部１２２は、収納量検知部４３から取得する検知情報に基づき判別を行い、その判別結果をそれぞれ取出抑止解除部１０６及び収納抑止解除部１０７に送信する。
【０１１８】
解除カセット空判別部１２１によりカセットが空と判別されたときに、取出抑止解除部１０６は、未だ取出抑止部１０２により現金の取り出しを抑止されているカセットのうちの１のカセットからの現金の取り出しの抑止を解除する。これにより、その抑止を解除されたカセットからの、収納量を第１閾値より少なくする現金の取り出しが許可される。
【０１１９】
図１０は、取出抑止解除部１０６によって取り出し抑止が順次解除されていく様子を示す図である。
図１０（ａ）は、抑止カセット第１閾値判別部１０４により抑止対象の３つの万券カセット２１、２３、２４のすべての収納量が第１閾値に達したと判断されて、取出抑止解除部１０６によって万券カセット２１の取り出し抑止が解除されている様子を示している。
【０１２０】
この状態から、例えば出金過多により、万券カセット２１が空になったと解除カセット空判別部１２１が判断すると、取出抑止解除部１０６は、未だ取り出し抑止が維持されている万券カセット２３、２４のうちの１の万券カセットの取り出し抑止を解除する。例えば、取出抑止解除部１０６は、リジェクトカセット２５から離れている万券カセットを優先して、図１０（ｂ）に示すように、万券カセット２３の取り出し抑止を解除する。
【０１２１】
次に、万券カセット２３も空になると、取出抑止解除部１０６は、図１０（ｃ）に示すように、残りの万券カセット２４の取り出し抑止を解除する。
そして、現金自動取引装置１が出金過多の場合には、図１０（ｄ）に示すように、すべての万券カセット２１、２３、２４が空となる。
【０１２２】
このように、取り出し抑止を順次解除していくことにより、収納量が第１閾値の状態にあるカセットをできるだけ多く確保しながら、現金自動取引装置１を稼働させ続けることができる。
【０１２３】
図９に戻り、解除カセット満杯判別部１２２によりカセットの現金の収納量が満杯と判別されたときに、収納抑止解除部１０７は、未だ収納抑止部１０３により現金の収納を抑止されているカセットのうちの１のカセットへの現金の収納の抑止を解除する。これにより、その抑止を解除されたカセットへの、収納量を第２閾値より多くする現金の収納が許可される。
【０１２４】
図１１は、収納抑止解除部１０７によって収納抑止が順次解除されていく様子を示す図である。
図１１（ａ）は、抑止カセット第２閾値判別部１０５により抑止対象の３つの万券カセット２１、２３、２４のすべての収納量が第２閾値に達したと判断されて、収納抑止解除部１０７によって万券カセット２１の収納抑止が解除されている様子を示している。
【０１２５】
この状態から、例えば入金過多により、万券カセット２１が満杯になったと解除カセット満杯判別部１２２が判断すると、収納抑止解除部１０７は、未だ収納抑止が維持されている万券カセット２３、２４のうちの１の万券カセットの収納抑止を解除する。例えば、収納抑止解除部１０７は、リジェクトカセット２５から離れている万券カセットを優先して、図１１（ｂ）に示すように、万券カセット２３の収納抑止を解除する。
【０１２６】
次に、万券カセット２３も満杯になると、収納抑止解除部１０７は、図１１（ｃ）に示すように、残りの万券カセット２４の収納抑止を解除する。
そして、現金自動取引装置１が入金過多の場合には、図１１（ｄ）に示すように、すべての万券カセット２１、２３、２４が満杯となる。
【０１２７】
このように、収納抑止を順次解除していくことにより、収納量が第２閾値の状態にあるカセットをできるだけ多く確保しながら、現金自動取引装置１を稼働させ続けることができる。
【０１２８】
［第２の実施形態］
上記第１の実施形態では、同一の金種を収納する複数のカセットのすべてのカセットにおける現金の収納量が第１閾値（下限値）に達して、初めて、カセットを空にする動作が実行される。
【０１２９】
そのため、すべてのカセットにおける現金の収納量が第１閾値に達するまでの間は、仮に１つのカセットに障害が生じて現金の出し入れができなくなった場合であっても、他の何れのカセットにも現金が収納されているため、現金を取り出すことでき、障害に強い出し入れ方式であると言える。
【０１３０】
その上、上記第１の実施形態で述べたように、収納量が第１閾値にある転用可能な状態のカセットを維持しておくこともできる。
【０１３１】
一方で、空のカセットは、現金精査が簡単であるため、早期に空のカセットを作って回収したい要望もある。
そこで、本発明の第２の実施形態では、耐障害性と転用可能性を確保しながらも、空のカセットを早期に用意することができる現金自動取引装置について説明する。
【０１３２】
第２の実施形態に係る現金自動取引装置は、第１の実施形態に係る現金自動取引装置１と一部機能が異なる。そこで、第１の実施形態における図４及び図９を用いて、その異なる機能のみを説明する。
【０１３３】
第２の実施形態では、現金出し入れ部１０１（現金取出部１１１及び現金収納部１１２）は、複数の対象カセットから現金を取り出すときに、現金が収納されているカセットのうち現金の収納量の最も少ないカセットから現金を取り出す。例えば、現金出し入れ部１０１は、前述した片寄せモードで現金カセット１６内の現金を出し入れする。
【０１３４】
ここで、対象カセットの数は少なくとも３とし、取出抑止部１０２は、現金が収納されているカセットが残り２つとされたときに、その２つのカセットのカセット毎の現金の収納量を第１閾値より少なくする現金の取り出しを抑止する。
【０１３５】
即ち、第２の実施形態では、現金取出部１１１は、最初は取出抑止部１０２に取り出しを抑止されることなく、現金の収納量の最も少ないカセットから現金を取り出していくことにより、カセットを順次空にしていく。そして、現金が収納されているカセットが残り２つになった時点で、取出抑止部１０２は第１の実施形態と同様の取り出し抑止を行う。
【０１３６】
以後は、第１の実施形態における現金カセット１６からの現金の取り出し動作と同様である。
即ち、抑止カセット第１閾値判別部１０４が、取出抑止部１０２により現金の取り出しを抑止されている２つのカセット共にカセット毎の現金の収納量が、第１閾値に達したか否かを判別する。
【０１３７】
そして、抑止カセット第１閾値判別部１０４により２つのカセット共にカセット毎の現金の収納量が、第１閾値に達したと判別されたときに、取出抑止解除部１０６が、その２つのカセットの１のカセットからの現金の取り出しの抑止を解除する。
【０１３８】
図１２は、本発明の第２の実施形態において現金カセット１６内の現金が出し入れされる様子を示す図である。
【０１３９】
対象カセットを万券カセット２１、２３、２４とする場合、図１２（ａ）に示すように、現金取出部１１１は、収納量の最も少ない万券カセット２４から一万円札を取り出し、現金収納部１１２は、収納量の最も多い万券カセット２１に一万円札を収納する。
【０１４０】
この時点では、現金が収納されている万券カセットは３つあり、残り２つではないので、取り出しは抑止されず、万券カセット２４は空になるまで一万円札が取り出される。一方、万券カセット２１への一万円札の収納は収納抑止部１０３により第２閾値を上限値として抑止される。
【０１４１】
このような一万円札の出し入れにより、万券カセット２４が空になり、万券カセット２１の収納量が第２閾値に達すると、図１２（ｂ）に示すように、残りの万券カセット２３が、現金取出部１１１及び現金収納部１１２による一万円札の取り出し及び収納に使用される。
【０１４２】
ここで、現金自動取引装置１が出金過多の現金自動取引装置であれば、万券カセット２３における一万円札の収納量が減少していく。そして、この時点では現金が収納されている万券カセットは万券カセット２１、２３の残り２つとなっているため、取出抑止部１０２により第１閾値を下限値とする取り出しの抑止が行われる。
【０１４３】
そのため、図１２（ｃ）に示すように、万券カセット２３の一万円札の収納量が下限値の第１閾値に達すると、取出抑止部１０２により万券カセット２３からの一万円札の取り出しが抑止され、次に、万券カセット２１からの一万円札の取り出しが行われる。
【０１４４】
そして、図１２（ｄ）に示すように、万券カセット２１の一万円札の収納量も第１閾値に達すると、抑止カセット第１閾値判別部１０４により２つの万券カセット２１、２３共に収納量が第１閾値に達したと判断され、取出抑止解除部１０６によりその何れかからの取り出し抑止が解除される。
【０１４５】
ここで、例えば万券カセット２１の方の取り出し抑止が解除された場合には、万券カセット２１から一万円札が取り出され続け、図１２（ｅ）に示すように、万券カセット２１が空になる。その場合、解除カセット空判別部１２１（図９）により万券カセット２１が空と判断されて、取出抑止解除部１０６により、未だ取り出しが抑止されている万券カセット２３の取り出し抑止が解除される。
【０１４６】
その結果、現金自動取引装置１が出金過多の場合には、万券カセット２３から一万円札の取り出され、図１２（ｆ）に示すように、すべての万券カセット２１、２３、２４が空となる。
【０１４７】
以上説明した第２の実施形態においては、現金が収納されているカセットの残りが２つになるまでは、収納量の下限値（第１閾値）を設けずに取り出しが行われるため、早期にカセットを空にすることができる。そして、残りが２つになった時点で下限値で取り出しを抑止するため、２つのカセットに現金が収納されている状態が長く維持され、耐障害性を有すると共に、転用可能なカセットも確保することができる。
【０１４８】
以上、本発明の実施形態を説明したが、本発明を実施するにあたっては、種々の形態による変形及び応用が可能であり、上記実施形態に限られるものではない。
【０１４９】
例えば、上記実施形態に係る現金自動取引装置１の機能は、専用のハードウェアによって実現することができる一方で、通常のコンピュータシステムによっても実現することができる。
【０１５０】
例えば、上記実施形態において、現金自動取引装置１の記憶部３６に記憶されているプログラムを、フレキシブルディスク、ＣＤ−ＲＯＭ（Compact Disk Read-Only Memory）、ＤＶＤ（Digital Versatile Disk）、ＭＯ（Magneto-Optical disk）等のコンピュータ読み取り可能な記録媒体に格納して配布し、そのプログラムをコンピュータにインストールすることにより、上述の機能を実現する装置を構成することができる。
【０１５１】
また、プログラムをインターネット等の通信ネットワーク上の所定のサーバ装置が有するディスク装置等に格納しておき、例えば、搬送波に重畳させて、コンピュータにダウンロード等するようにしても良い。
【０１５２】
また、通信ネットワークを介してプログラムを転送しながら起動実行することによっても、上述の機能を達成することができる。
更に、プログラムの全部又は一部をサーバ装置上で実行させ、その処理に関する情報をコンピュータが通信ネットワークを介して送受信しながらプログラムを実行することによっても、上述の機能を達成することができる。
【０１５３】
なお、上述の機能を、ＯＳ（Operating System）が分担して実現する場合又はＯＳとアプリケーションとの協働により実現する場合等には、ＯＳ以外の部分のみを媒体に格納して配布してもよく、また、コンピュータにダウンロード等しても良い。
【０１５４】
なお、本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、特許請求の範囲によって示される。そして、特許請求の範囲内及びそれと同等の発明の意義の範囲内で施される様々な変形が、本発明の範囲内とみなされる。
【符号の説明】
【０１５５】
１  現金自動取引装置
１１  表示部
１２  操作部
１３  カード挿入口
１４  入金口
１５  出金口
１６  現金カセット
１７  交換用扉
２１、２２、２３、２４  金種カセット
２５  リジェクトカセット
３１  現金取扱部
３２  カード取扱部
３３  入力部
３４  出力部
３５  通信部
３６  記憶部
３７  現金自動取引制御部
３８  バス
４１  金種鑑別部
４２  現金移動経路
４３  収納量検知部
４４  現金取扱制御部
１０１  現金出し入れ部
１０２  取出抑止部
１０３  収納抑止部
１０４  抑止カセット第１閾値判別部
１０５  抑止カセット第２閾値判別部
１０６  取出抑止解除部
１０７  収納抑止解除部
１１１  現金取出部
１１２  現金収納部
１２１  解除カセット空判別部
１２２  解除カセット満杯判別部
【図１】
0005446684.tif 000002
【図２】
0005446684.tif 000003
【図３】
0005446684.tif 000004
【図４】
0005446684.tif 000005
【図５】
0005446684.tif 000006
【図６】
0005446684.tif 000007
【図７】
0005446684.tif 000008
【図８】
0005446684.tif 000009
【図９】
0005446684.tif 000010
【図１０】
0005446684.tif 000011
【図１１】
0005446684.tif 000012
【図１２】
0005446684.tif 000013